(57)【要約】【課題】第１、第２の屋外装置を同一構成とし、小型化と調整の簡素化を図る。【解決手段】第１および第２の屋外装置２−１，２−２の周波数変換部２１−１，２１−２は、スイッチ２３−１，２３−２により選択された局部発振信号と受信信号Ｓ１１，Ｓ１２とを混合して所定の中間周波信号Ｓ２１，Ｓ２２に変換し、同一長の同軸ケーブル８−１，８−２を介して屋内装置３へ送出する。スイッチ２３−１，２３−２は、屋外装置２−１，２−２がそれぞれ生成する局部発振信号Ｓ３１，Ｓ３２のいずれか一方を共用するように選択する。屋内装置３は、受信した中間周波信号Ｓ２１，Ｓ２２をＡＧＣ部３３−１，３３−２によりケーブル損失を補償し、同期合成部３１により同期合成した後に復調部３２により復調する。【選択図】      図１
2004235817.tif 000002
【特許請求の範囲】
【請求項１】
第１および第２のアンテナにそれぞれ設置される第１および第２の屋外装置と局舎内に設置される屋内装置とから成るスペースダイバ−シティ形ディジタル無線装置において、前記第１および第２の屋外装置は、前記第１および第２のアンテナの受信信号を所定の中間周波信号に変換して同一長の第１および第２の同軸ケーブルを介して前記屋内装置へそれぞれ送出する手段を有し、前記屋内装置は、前記同軸ケーブルを介してそれぞれ伝送されてくる前記中間周波信号を受信して同期合成した後に復調する手段を有していることを特徴とするスペースダイバ−シティ形ディジタル無線装置。
【請求項２】
第１および第２のアンテナにそれぞれ設置される第１および第２の屋外装置と局舎内に設置される屋内装置とから成るスペースダイバ−シティ形ディジタル無線装置において、前記第１および第２の屋外装置は、前記アンテナの受信信号に局部発振信号を混合して所定の中間周波信号に変換し同一長の第１および第２の同軸ケーブルを介して前記屋内装置へそれぞれ送出する周波数変換手段と、前記局部発振信号を生成する局部発振信号生成手段と、自装置で生成する前記局部発振信号および他装置で生成する前記局部発振信号の内いずれか一方を両装置で共用するように選択して前記周波数変換手段へ出力するスイッチ手段とをそれぞれ備えていることを特徴とするスペースダイバ−シティ形ディジタル無線装置。
【請求項３】
前記第１および第２の屋外装置の前記スイッチ手段が、前記局部発振信号生成手段へ供給する電源をＯＮ／ＯＦＦすると共に電源ＯＮしたときに生成される前記局部発振信号を両装置で共用するように選択することを特徴とする請求項２記載のスペースダイバ−シティ形ディジタル無線装置。
【請求項４】
前記屋内装置は、前記第１および第２の同軸ケーブルを介して受信した前記中間周波信号のケーブル損失をそれぞれ補償する第１および第２のＡＧＣ手段と、これら第１および第２のＡＧＣ手段の出力信号を同期合成する同期合成手段と、この同期合成手段の出力信号を復調する復調手段とを備えていることを特徴とする請求項２記載のスペースダイバ−シティ形ディジタル無線装置。
【請求項５】
前記屋内装置は、前記第１および第２の同軸ケーブルを介してそれぞれ受信した前記中間周波信号を同期合成する同期合成手段と、この同期合成手段の出力信号を所定の一定レベルに制御するＡＧＣ手段と、このＡＧＣ手段の出力信号を復調する復調手段とを備えていることを特徴とする請求項２記載のスペースダイバ−シティ形ディジタル無線装置。
【請求項６】
第１および第２のアンテナにそれぞれ設置される第１および第２の屋外装置と局舎内に設置される屋内装置とから成るスペースダイバ−シティ形ディジタル無線装置において、前記第１および第２の屋外装置は、前記アンテナの受信信号に局部発振信号を混合して所定の中間周波信号に変換して同一長の第１および第２の同軸ケーブルを介して前記屋内装置へそれぞれ送出する周波数変換手段と、前記屋内装置から前記同軸ケーブルを介して供給される周波数基準信号を分離すると共に前記同軸ケーブルを介して前記中間周波信号を前記屋外装置へ送出するマルチプレクと、このマルチプレクにより分離された周波数基準信号に基づき前記局部発振信号を生成するＰＬＬ手段とをそれぞれ有していることを特徴とするスペースダイバ−シティ形ディジタル無線装置。
【請求項７】
前記屋内装置は、前記周波数基準信号を生成する周波数基準信号生成手段と、前記第１および第２の同軸ケーブルを介して前記第１および第２の屋外装置から伝送されてくる中間周波信号を分離すると共に前記同軸ケーブルを介して前記周波数基準信号を前記第１および第２の屋外装置へ送出するための第１および第２のマルチプレクサと、これらマルチプレクサにより分離された中間周波信号を同期合成する同期合成手段と、この同期合成手段により同期合成された中間周波信号を復調する復調手段とを有していることを特徴とする請求項６記載のスペースダイバ−シティ形ディジタル無線装置。
【請求項８】
ｎ面（ｎは２以上の整数）のアンテナにそれぞれ設置されるｎ台の屋外装置と局舎内に設置される屋内装置とから成るスペースダイバ−シティ形ディジタル無線装置において、前記ｎ台の屋外装置は、前記受信信号に局部発振信号を混合して所定の中間周波信号に変換する周波数変換手段と、前記中間周波信号を同一長のｎ本の同軸ケーブルを介して前記屋内装置へ送出すると共に前記同軸ケーブルを介して前記屋内装置から伝送されてくる周波数基準信号を分離するマルチプレクと、このマルチプレクにより分離された前記周波数基準信号に基づき前記局部発振信号を生成するＰＬＬ手段とをそれぞれ有し、前記屋内装置は、前記周波数基準信号を生成する周波数基準信号生成手段と、前記同一長のｎ本の同軸ケーブルを介して前記周波数基準信号を前記ｎ台の屋外装置へそれぞれ送出すると共に前記ｎ台の屋外装置から伝送されてくる前記中間周波信号を分離するｎ個のマルチプレクサと、これらマルチプレクサにより分離された中間周波信号を順次同期合成するｎ−１個の同期合成手段と、これら同期合成手段により同期合成された中間周波信号を復調する復調手段とを有していることを特徴とするスペースダイバ−シティ形ディジタル無線装置。
【発明の詳細な説明】
【０００１】
【発明の属する技術分野】
本発明はスペースダイバ−シティ形ディジタル無線装置に関し、特に複数のアンテナにそれぞれ設置される複数の屋外装置（ＯＤＵ：Ｏｕｔ  Ｄｏｏｒ  Ｕｎｉｔ）および局舎内に設置される屋内装置（ＩＤＵ：Ｉｎ  Ｄｏｏｒ  Ｕｎｉｔ）から成るスペースダイバ−シティ形ディジタル無線装置に関する。
【０００２】
【従来の技術】
従来のこの種の装置は、例えば図５に示すように、第１および第２のアンテナ１−１，１−２にそれぞれ接続される第１および第２の屋外装置１００，２００と、局舎内に設置される屋内装置３００とにより構成される。
【０００３】
図５において、第１の屋外装置１００は、第１のアンテナ１−１の受信信号Ｓ１１を局部発振信号Ｓ３と混合して所定の中間周波信号Ｓ２１に変換する周波数変換部１０１と、局部発振信号Ｓ３を生成する局部発振部１０２と、第２の屋外装置２００において同期合成された中間周波信号Ｓ４を一定レベルに制御して同軸ケーブル４０１を介して屋内装置３００へ送出するＡＧＣ部１０３とを有している。
【０００４】
一方、第２の屋外装置２００は、第２のアンテナ１−２の受信信号Ｓ１２を所定の中間周波信号Ｓ２２に変換する周波数変換部２０１と、第１の屋外装置１００から同軸ケーブル４０２を介して供給される局部発振信号Ｓ３の位相を調整して周波数変換部２０１へ出力する無限移相部２０２と、第１の屋外装置１００の中間周波信号Ｓ２１が伝送されてくる同軸ケーブル４０３と同一電気長の遅延を中間周波信号Ｓ２２に与える遅延部２０３と、第１の屋外装置１００の中間周波信号Ｓ２１と遅延部２０２を通過した中間周波信号Ｓ２２とを合成し同軸ケーブル４０４を介して第１の屋外装置１００へ送出する合成部２０４と、合成部２０４に入力する２つの中間周波信号が同位相となるように無限移相部２０２を制御する位相差検出部２０５とを有している。（例えば、特許文献１参照。）。
【０００５】
屋内装置３００は、第１の屋外装置１００から同軸ケーブル４０１を介して伝送されてくる同期合成された中間周波信号に対してケーブル損失を補償するＡＧＣ部３０１と、同期合成された中間周波信号を復調する復調部３０２とを有している。
【０００６】
このように、第１および第２の屋外装置１００，２００は、第１および第２のアンテナ１−１，１−２の受信信号を中間周波信号にそれぞれ変換する機能を有し、更に、第２の屋外装置２００は、第１の屋外装置１００の中間周波信号と第２の屋外装置２００の中間周波信号とを同期合成する機能を有している。そして、同期合成した中間周波信号を屋内装置３００へ送出している。
【０００７】
【特許文献１】
特開平０５−３０８３０７号公報（図１）
【０００８】
【発明が解決しようとする課題】
上述したように従来は、第１の屋外装置と第２の屋外装置とは構成が異なり、屋外装置が２種類必要となるために、製造面および保守面で効率的でない。また、第１の屋外装置と第２の屋外装置との間に複数の同軸ケーブルを接続し、同期合成のためにケーブル長や遅延量等の調整を行う必要があるので、調整が煩雑になる。
【０００９】
更に、第２の屋外装置には中間周波信号の同期合成機能が設けられているために、大型化して風圧加重が大きくなるので、簡易な鉄塔や電柱等へ設置できないという問題点を有している。。
【００１０】
本発明の目的は、第１および第２の屋外装置を同一構成とし、且つ、屋外装置の小型化および調整の簡素化を実現できるスペースダイバ−シティ形ディジタル無線装置を提供することにある。
【００１１】
【課題を解決するための手段】
本発明のスペースダイバ−シティ形ディジタル無線装置は、第１および第２のアンテナにそれぞれ設置される第１および第２の屋外装置と局舎内に設置される屋内装置とから成るスペースダイバ−シティ形ディジタル無線装置において、前記第１および第２の屋外装置は、前記第１および第２のアンテナの受信信号を所定の中間周波信号に変換して同一長の第１および第２の同軸ケーブルを介して前記屋内装置へそれぞれ送出する手段を有し、前記屋内装置は、前記同軸ケーブルを介してそれぞれ伝送されてくる前記中間周波信号を受信して同期合成した後に復調する手段を有している。
【００１２】
具体的に、第１および第２のアンテナにそれぞれ設置される第１および第２の屋外装置と局舎内に設置される屋内装置とから成るスペースダイバ−シティ形ディジタル無線装置において、前記第１および第２の屋外装置は、前記アンテナの受信信号に局部発振信号を混合して所定の中間周波信号に変換し同一長の第１および第２の同軸ケーブルを介して前記屋内装置へそれぞれ送出する周波数変換手段と、前記局部発振信号を生成する局部発振信号生成手段と、自装置で生成する前記局部発振信号および他装置で生成する前記局部発振信号の内いずれか一方を共用するように選択して前記周波数変換手段へ出力するスイッチ手段とをそれぞれ備えている。
【００１３】
また、前記第１および第２の屋外装置の前記スイッチ手段が、前記局部発振信号生成手段へ供給する電源をＯＮ／ＯＦＦすると共に電源ＯＮしたときに生成される前記局部発振信号を両装置で共用するように選択してもよい。
【００１４】
更に、前記屋内装置は、前記第１および第２の同軸ケーブルを介して受信した前記中間周波信号のケーブル損失をそれぞれ補償する第１および第２のＡＧＣ手段と、これら第１および第２のＡＧＣ手段の出力信号を同期合成する同期合成手段と、この同期合成手段の出力信号を復調する復調手段とを備えている。
【００１５】
また更に、前記屋内装置は、前記第１および第２の同軸ケーブルを介してそれぞれ受信した前記中間周波信号を同期合成する同期合成手段と、この同期合成手段の出力信号を所定の一定レベルに制御するＡＧＣ手段と、このＡＧＣ手段の出力信号を復調する復調手段とを備えるように構成してもよい。
【００１６】
本発明の第２のスペースダイバ−シティ形ディジタル無線装置は、第１および第２のアンテナにそれぞれ設置される第１および第２の屋外装置と局舎内に設置される屋内装置とから成るスペースダイバ−シティ形ディジタル無線装置において、前記第１および第２の屋外装置は、前記アンテナの受信信号に局部発振信号を混合して所定の中間周波信号に変換して同一長の第１および第２の同軸ケーブルを介して前記屋内装置へそれぞれ送出する周波数変換手段と、前記屋内装置から前記同軸ケーブルを介して供給される周波数基準信号を分離すると共に前記同軸ケーブルを介して前記中間周波信号を前記屋外装置へ送出するマルチプレクと、このマルチプレクにより分離された周波数基準信号に基づき前記局部発振信号を生成するＰＬＬ手段とをそれぞれ有している。
【００１７】
また、前記屋内装置は、前記周波数基準信号を生成する周波数基準信号生成手段と、前記第１および第２の同軸ケーブルを介して前記第１および第２の屋外装置から伝送されてくる中間周波信号を分離すると共に前記同軸ケーブルを介して前記周波数基準信号を前記第１および第２の屋外装置へ送出するための第１および第２のマルチプレクサと、これらマルチプレクサにより分離された中間周波信号を同期合成する同期合成手段と、この同期合成手段により同期合成された中間周波信号を復調する復調手段とを有している。
【００１８】
本発明の第３のスペースダイバ−シティ形ディジタル無線装置は、ｎ面（ｎは２以上の整数）のアンテナにそれぞれ設置されるｎ台の屋外装置と局舎内に設置される屋内装置とから成るスペースダイバ−シティ形ディジタル無線装置において、前記ｎ台の屋外装置は、前記受信信号に局部発振信号を混合して所定の中間周波信号に変換する周波数変換手段と、前記中間周波信号を同一長のｎ本の同軸ケーブルを介して前記屋内装置へ送出すると共に前記同軸ケーブルを介して前記屋内装置から伝送されてくる周波数基準信号を分離するマルチプレクと、このマルチプレクにより分離された前記周波数基準信号に基づき前記局部発振信号を生成するＰＬＬ手段とをそれぞれ有し、前記屋内装置は、前記周波数基準信号を生成する周波数基準信号生成手段と、前記同一長のｎ本の同軸ケーブルを介して前記周波数基準信号を前記ｎ台の屋外装置へそれぞれ送出すると共に前記ｎ台の屋外装置から伝送されてくる前記中間周波信号を分離するｎ個のマルチプレクサと、これらマルチプレクサにより分離された中間周波信号を順次同期合成するｎ−１個の同期合成手段と、これら同期合成手段により同期合成された中間周波信号を復調する復調手段とを有している。
【００１９】
【発明の実施の形態】
次に本発明について図面を参照して説明する。
【００２０】
図１は本発明の第１の実施形態を示すブロック図であり、第１および第２のアンテナ１−１，１−２にそれぞれ接続される同一構成の第１および第２の屋外装置２−１，２−２と、局舎内に設置される屋内装置３とを示している。
【００２１】
第１および第２の屋外装置２−１，２−２は、第１および第２のアンテナ１−１，１−２からの受信信号Ｓ１１，Ｓ１２を所定の中間周波信号Ｓ２１，Ｓ２２にそれぞれ変換し、同一長の同軸ケーブル８−１，８−２を介して屋内装置３へそれぞれ送出する。
【００２２】
一方、屋内装置３は、第１および第２の屋外装置２−１，２−２からそれぞれ出力される中間周波信号Ｓ２１，Ｓ２２を同軸ケーブル８−１，８−２を介してそれぞれ受信し、同期合成して復調する。
【００２３】
図１において、第１および第２の屋外装置２−１，２−２は、受信信号Ｓ１１，Ｓ１２に局部発振信号を混合して所定の中間周波信号Ｓ２１，Ｓ２２にそれぞれ変換する周波数変換部２１−１，２１−２と、局部発振信号Ｓ３１，Ｓ３２をそれぞれ生成する局部発振部２２−１，２２−２と、局部発振信号Ｓ３１，Ｓ３２のいずれか一方を選択するスイッチ２３−１，２３−２とをそれぞれ備えている。
【００２４】
なお、周波数変換部２１は、受信信号を増幅する高周波増幅回路と、ミキサーと、中間周波信号を増幅する中間周波増幅回路とを有している。
【００２５】
屋内装置３は、受信した２つの中間周波信号を同期合成する同期合成部３１と、同期合成された中間周波信号を復調する復調部３２と、同期合成部３１の入力側に設けられて同軸ケーブル８−１，８−２のケーブル損失を補償するＡＧＣ部３３−１，３３−２とを備えている。
【００２６】
ここで、同期合成部３１は、受信した２つの中間周波信号の一方の位相を制御する無限移相器３１１と、受信した中間周波信号が同一位相になるように無限移相部５３を制御する位相差検出器３１２と、同一位相に制御された２つの中間周波信号を合成する合成器３１３とを有している。
【００２７】
次に動作を説明する。
【００２８】
第１および第２のアンテナ１−１，１−２は、互い空間伝搬特性に相関のない位置に配置されて受信信号Ｓ１１，Ｓ１２を第１および第２の屋外装置２−１，２−２へ出力する。
【００２９】
第１および第２の屋外装置２−１，２−２の周波数変換部２１−１，２１−２は、スイッチ２３−１，２３−２により選択された局部発振信号と受信信号Ｓ１１，Ｓ１２とをそれぞれ受けて混合し、受信信号Ｓ１１，Ｓ１２を所定の中間周波信号Ｓ２１，Ｓ２２にそれぞれ変換する。そして、同一長の同軸ケーブル８−１，８−２を介して屋内装置３へそれぞれ送出する。
【００３０】
ところで、スペースダイバーシティ受信において受信信号を同相合成するためには、屋外装置２−１，２−２の局部発振信号を同期させることが必須となるが、ここでは、スイッチ２３−１，２３−２により、屋外装置２−１，２−２がそれぞれ生成する局部発振信号Ｓ３１，Ｓ３２のいずれか一方を共用するようにしている。このため、屋外装置２−１，２−２間に局部発振信号Ｓ３１，Ｓ３２を相互に供給するための１本のケーブル９を設けている。
【００３１】
なお、スイッチ２３−１，２３−２は、局舎側からの制御信号により制御するようにしてもよいし、あるいは、図示していないが、屋外装置２−１，２−２内に局部発振信号の異常を検知する手段を設け、装置起動時に選択した局部発振信号に異常が発生したときに自動的に他方を選択するようにしてもよい。
【００３２】
屋内装置３は、同軸ケーブル８−１，８−２を介して伝送されてきた中間周波信号をＡＧＣ部３３−１，３３−２によりケーブル損失補償を行い、同期合成部３１により同期合成した後に復調部３２により復調する。
【００３３】
ここで、同期合成部３１は、入力する２つの中間周波信号を同期合成するために、２つの中間周波信号の内の一方側（図１ではＳ２１側）に無限移相器３１１を設け、位相差検出器３１２により合成器３１３に入力する２つの中間周波信号の位相差を検出し、位相差が０になるように無限移相器３１１を制御する。
【００３４】
なお、ＡＧＣ部３３−１，３３−２を入力側に設けることにより、屋外装置と屋内装置との距離が長く、同軸ケーブル１０１，１０２のケーブル損失が大きい場合、同期合成を確実に行うことができる。
【００３５】
このように構成することにより、第１および第２の屋外装置を同一構成とすることができ、且つ、屋外装置の小型化および調整の簡素化を実現することができる。
【００３６】
図２は本発明の第２の実施形態を示すブロック図であり、図１に示した構成要素と同じものには同一符号を付している。
【００３７】
ここで、図１に示した構成との相違点は、第１および第２の屋外装置についてはスイッチ２３に代えてスイッチ２４が使用されており、また、屋内装置については同期合成部３１の出力側にＡＧＣ部３３が配置されている点である。
【００３８】
スイッチ２４−１，２４−２は、図１に示したスイッチ２３−１，２３−２の他の構成例であり、局部発振部２２−１，２２−２へ供給する電源をＯＮ／ＯＦＦする接点、および局部発振信号Ｓ３１，Ｓ３２をＯＮ／ＯＦＦする接点を有し、両接点は同時にＯＮ／ＯＦＦする。また、スイッチ２４−１，２４−２の一方がＯＮであれば他方はＯＦＦとなるように制御される。
【００３９】
このようなスイッチを使用することにより、局部発振部２２−１，２２−２のいずれか一方を動作させて局部発振信号を共用できるので、消費電力を低減することができる。
【００４０】
なお、スイッチ２４−１，２４−２に代えてスイッチ２３−１，２３−２を使用してもよい。
【００４１】
ところで、屋外装置２−１，２−２と屋内装置４との距離が比較的に短い場合、同軸ケーブル８−１，８−２による中間周波信号の損失は少なく、屋内装置４に入力する中間周波信号Ｓ２１，Ｓ２２のレベルは同期合成に支障のないレベルになっているので、図１に示した屋内装置３のように、入力する２つの中間周波信号にそれぞれ対応するＡＧＣ部３３−１，３３−２を入力側にそれぞれ設けてケーブル損失を補償する必要はない。
【００４２】
従って、このような場合は、図２に示したように、同期合成部３１の出力側にＡＧＣ部３３を一つ設け、復調部３２に入力する同期合成された中間周波信号を所定の一定レベルに制御することができ、屋内装置の構成を簡素化できる。
【００４３】
図３は本発明の第３の実施形態を示すブロック図である。
【００４４】
図２に示した構成との相違点は、第１および第２の屋外装置５−１，５−２が、屋内装置６から同軸ケーブル８−１，８−２を介して供給される周波数基準信号に基づき局部発振信号をそれぞれ生成し、受信信号を中間周波信号に周波数変換する点である。
【００４５】
図３において、第１および第２の屋外装置５−１，５−２は、第１および第２のアンテナ１−１，１−２からの受信信号Ｓ１１，Ｓ１２に局部発振信号Ｓ４１，Ｓ４２を混合して所定の中間周波信号Ｓ２１，Ｓ２２にそれぞれ変換する周波数変換部５１−１，５１−２と、屋内装置６から同一長の同軸ケーブル８−１，８−２を介して供給される周波数基準信号Ｓｏをそれぞれ分離すると共に中間周波信号Ｓ２１，Ｓ２２を同軸ケーブル８−１，８−２を介して屋内装置６へ送出するマルチプレクサ（ＭＰＸ）５２−１，５２−２と、周波数基準信号Ｓｏに基づき局部発振信号Ｓ４１，Ｓ４２をそれぞれ生成するＰＬＬ部５３−１，５３−２とをそれぞれ有している。
【００４６】
ここで、ＰＬＬ部５３−１，５３−２が周波数基準信号Ｓｏに基づきそれぞれ生成する局部発振信号Ｓ４１，Ｓ４２は、互いに同位相になっている。
【００４７】
一方、屋内装置６は、周波数基準信号Ｓｏを生成する周波数基準信号生成部６１と、同一長の同軸ケーブル８−１，８−２を介して第１および第２の屋外装置５−１，５−２からそれぞれ伝送されてくる中間周波信号Ｓ２１，Ｓ２２を分離すると共に同軸ケーブル８−１，８−２を介して周波数基準信号Ｓｏを第１および第２の屋外装置５−１，５−２へ送出するためのマルチプレクサ（ＭＰＸ）６２−１，６２−２と、マルチプレクサ６２−１，６２−２によりそれぞれ分離された中間周波信号Ｓ２１，Ｓ２２を同期合成する同期合成部３１と、同期合成された中間周波信号を復調する復調部３２と、同期合成部３１の出力側に設けられて同軸ケーブル８のケーブル損失を補償するＡＧＣ部３３とを有している。
【００４８】
なお、同期合成部３１は、図１に示した同期合成部３１と同じ構成であり、受信した２つの中間周波信号の一方の位相を制御する無限移相器３１１と、受信した中間周波信号が同一位相になるように無限移相部５３を制御する位相差検出器３１２と、同一位相に制御された２つの中間周波信号を合成する合成器３１３とを有している。
【００４９】
このように構成することにより、従来、第１および第２の屋外装置に必要とした局部発振部やスイッチが不要となり、更に、局部発振信号用のケーブルおよびスイッチの制御も不要となるので、屋外装置の簡素化を実現できる。
【００５０】
ところで、図３に示した構成では２面のアンテナを使用した場合を示しているが、ｎ面（ｎは２以上の整数）のアンテナを使用することも可能である。
【００５１】
図４は、ｎ面（ｎは２以上の整数）のアンテナを使用する場合の構成例を示している。
【００５２】
図４において、ｎ面のアンテナ１−１，１−２，……，１−ｎにそれぞれ接続されるｎ台の各屋外装置５−１，５−２，……，５−ｎは、図３に示した屋外装置５と同一構成である。そして、同一長のｎ本の同軸ケーブル８−１，８−２，……，８−ｎを介して屋内装置７とそれぞれ接続される。
【００５３】
屋内装置７は、周波数基準信号Ｓｏを生成する周波数基準信号生成部６１と、ｎ本の同軸ケーブル８−１，８−２，……，８−ｎを介してｎ台の屋外装置５−１，５−２……，５−ｎからそれぞれ伝送されてくる中間周波信号Ｓ２１，Ｓ２２，……，Ｓ２ｎをそれぞれ分離すると共に同軸ケーブル８−１，８−２，……，８−ｎを介して屋外装置５−１，５−２，……，５−ｎへ周波数基準信号Ｓｏをそれぞれ送出するためのｎ個のマルチプレクサ６２−１，６２−２，……，６２−ｎと、マルチプレクサ６２−１，６２−２，……，６２−ｎによりそれぞれ分離された中間周波信号Ｓ２１，Ｓ２２，……，Ｓ２ｎを順次同期合成するｎ−１個の同期合成部３１−１，３１−２，……，３１−（ｎ−１）と、最終的に同期合成された中間周波信号を復調する復調部３２と、ｎ−１番目の同期合成部３１−（ｎ−１）の出力側に設けられてケーブル損失を補償するＡＧＣ部３３とを有している。
【００５４】
ここで、各同期合成部３１−１，３１−２，……，３１−（ｎ−１）は、図１に示した同期合成部３１と同じ構成である。
【００５５】
同期合成は、まず、第１番目の同期合成部３１−１が、第１および第２の屋外装置５−１，５−２からの中間周波信号Ｓ２１，Ｓ２２を同期合成して第２番目の同期合成部３１−２へ送出する。第２番目の同期合成部３１−２は、第３の屋外装置５−３の中間周波信号Ｓ２３と第１番目の同期合成部３１−１の出力信号とを同期合成して第３番目の同期合成部３１−３へ送出する。
【００５６】
以下同様にし同期合成を繰り返し、最終の第ｎ−１番目の同期合成部３１−（ｎ−１）が、第ｎの屋外装置５−ｎの中間周波信号Ｓ２ｎと第ｎ−２番目の同期合成部３１−（ｎ−２）の出力信号とを同期合成することにより、中間周波信号Ｓ２１，Ｓ２２，……，Ｓ２ｎの全てを同期合成した信号を出力する。
【００５７】
このように構成することにより、ｎ面（ｎは２以上の整数）のアンテナを使用する場合でも、ｎ台の屋外装置を全て同一構成とすることができ、且つ、屋外装置の小型化および調整の簡素化を実現することができる。
【００５８】
【発明の効果】
以上説明したように本発明によれば、同期合成機能を屋内装置側に設けると共に、各屋外装置が受信信号を中間周波信号にそれぞれ変換して同一長のケーブルを介して屋内装置へそれぞれ送出する構成としたことにより、屋外装置を同一構成とすることができ、且つ小型化および調整の簡素化を実現できる。
【００５９】
よって、製造面および保守面で効率的になり、また、小型化により風圧加重を軽減できるので、従来設置が困難であった簡易な鉄塔への設置が可能となる。更に、各屋外装置がそれぞれ生成する局部発振信号のいずれか一方を選択して共用することにより、同期性および冗長性を確保できる。
【００６０】
また、屋内装置が周波数基準信号を生成して同一長のケーブルを介して各屋外装置へそれぞれ送出し、各屋外装置は周波数基準信号に基づきＰＬＬ回路により局部発振信号をそれぞれ生成するように構成することにより、屋外装置を更に簡素化できる。
【図面の簡単な説明】
【図１】本発明の第１の実施形態を示すブロック図である。
【図２】本発明の第２の実施形態を示すブロック図である。
【図３】本発明の第３の実施形態を示すブロック図である。
【図４】ｎ面（ｎは２以上の整数）のアンテナを使用する場合の構成例を示すブロック図である。
【図５】従来例を示すブロック図である。
【符号の説明】
１    アンテナ
２，５    屋外装置
３，４，６，７    屋内装置
８    同軸ケーブル
２１，５１    周波数変換部
２２    局部発振部
２３，２４    スイッチ
３１    同期合成部
３２    復調部
３３    ＡＧＣ部
５２，６２    マルチプレクサ（ＭＰＸ）
５３    ＰＬＬ部
６１    周波数基準信号生成部
【図１】
2004235817.tif 000003
【図２】
2004235817.tif 000004
【図３】
2004235817.tif 000005
【図４】
2004235817.tif 000006
【図５】
2004235817.tif 000007